(57)【要約】   【課題】  住宅を建築しようとするユーザが、簡単な操作で、建築物を３次元で視覚的に確認する。  【解決手段】  システム１０は、建築物の住空間の単位ごとに、構造材の３次元の情報を含む構造モジュールと、仕上げおよび仕上げで囲われる領域に配置される建具の３次元の情報を含む意匠モジュールとを含む基本モジュールを格納したモジュールＤＢ１６と、モジュールＤＢ１６に記憶された基本モジュールを取り出すモジュール選択部２０と、基本モジュールを３次元に配置し、配置された基本モジュール、および、基本モジュールの配置位置を含む情報を生成して、その３次元的に視覚化された画像を表示装置の画面上に表示し、その際に、隣接する基本モジュールの接合部に関して、隣接する基本モジュールにそれぞれ含まれる構造モジュールを参照して、干渉する建築材を調整し、生成された情報を、設計書ＤＢ１８に記憶するモジュール配置／編集部２２とを備える。【選択図】  図１
2005275506.tif 000002
【特許請求の範囲】
【請求項１】
建築物の住空間の単位ごとに、その構造材の３次元の情報を含む構造モジュールと、仕上げおよび仕上げで囲われる領域に配置される建具の、３次元の情報を含む意匠モジュールとを含む基本モジュールを格納したモジュールＤＢと、
与えられた第１の指示にしたがって、前記モジュールＤＢに記憶された基本モジュールを取り出すモジュール選択手段と、
前記取り出された基本モジュールを３次元に配置し、配置された基本モジュール、および、当該基本モジュールの配置位置を含む情報を生成して、配置された基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶するモジュール配置／編集手段とを備えたことを特徴とする住空間創造支援システム。
【請求項２】
前記モジュール配置／編集手段が、前記表示装置の画面上に表示された基本モジュールから選択されたものの配置位置を変更することを示す第２の指示にしたがって、前記基本モジュールの配置位置を変更し、変更された後の基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶することを特徴とする請求項１に記載の住空間創造支援システム。
【請求項３】
前記モジュール配置／編集手段が、前記隣接する基本モジュールの接合部に関して、当該隣接する基本モジュールにそれぞれ含まれる意匠モジュールを参照して、外壁および内壁を判断し、かつ、干渉する建具を調整することを特徴とする請求項１または２に記載の住空間創造支援システム。
【請求項４】
前記第１の指示が、住宅性能表示の項目に関する値を含み、
さらに、前記記憶装置に記憶された前記配置された基本モジュール、および、基本モジュールの配置位置を含む情報に基づき、安全性を検証し、前記第１の指示に含まれる住宅性能表示の項目の値にしたがった安全性が確保されているか否かを判断する安全性検証手段を備えたことを特徴とする請求項１ないし３の何れか一項に記載の住空間創造支援システム。
【請求項５】
前記モジュール配置／編集手段が、配置された基本モジュールのうち、構造モジュールの情報、或いは、意匠モジュールの情報の何れかに基づく、３次元的に視覚化された画像を生成することを特徴とする請求項１ないし４の何れか一項に記載の住空間創造支援システム。
【請求項６】
建築物の住空間の単位ごとに、その構造材の３次元の情報を含む構造モジュールと、仕上げおよび仕上げで囲われる領域に配置される建具の、３次元の情報を含む意匠モジュールとを含む基本モジュールを格納したモジュールＤＢに接続されたコンピュータにより読み出し可能なプログラムであって、
与えられた第１の指示にしたがって、前記モジュールＤＢに記憶された基本モジュールを取り出すモジュール選択手段、および、
前記取り出された基本モジュールを３次元に配置し、配置された基本モジュール、および、当該基本モジュールの配置位置を含む情報を生成して、配置された基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶するモジュール配置／編集手段として、前記コンピュータを機能させることを特徴とする住空間創造支援プログラム。
【請求項７】
前記コンピュータを前記モジュール配置／編集手段として機能させるときに、
前記表示装置の画面上に表示された基本モジュールから選択されたものの配置位置を変更することを示す第２の指示にしたがって、前記基本モジュールの配置位置を変更し、変更された後の基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶するように、前記コンピュータを動作させることを特徴とする請求項６に記載の住空間創造支援プログラム。
【請求項８】
前記コンピュータを前記モジュール配置／編集手段として機能させるときに、
前記隣接する基本モジュールの接合部に関して、当該隣接する基本モジュールにそれぞれ含まれる意匠モジュールを参照して、外壁および内壁を判断し、かつ、干渉する建具を調整するように、前記コンピュータを動作させることを特徴とする請求項６または７に記載の住空間創造支援プログラム。
【請求項９】
前記第１の指示が、住宅性能表示の項目に関する値を含み、
さらに、前記記憶装置に記憶された前記配置された基本モジュール、および、基本モジュールの配置位置を含む情報に基づき、安全性を検証し、前記第１の指示に含まれる住宅性能表示の項目の値にしたがった安全性が確保されているか否かを判断する安全性検証手段として、前記コンピュータを機能させることを特徴とする請求項６ないし８の何れか一項に記載の住空間創造支援プログラム。
【請求項１０】
前記コンピュータを前記モジュール配置／編集手段として機能させるときに、
配置された基本モジュールのうち、構造モジュールの情報、或いは、意匠モジュールの情報の何れかに基づく、３次元的に視覚化された画像を生成するように、前記コンピュータを動作させることを特徴とする請求項６ないし９の何れか一項に記載の住空間創造支援プログラム。
【発明の詳細な説明】
【技術分野】
【０００１】
本発明は、住宅等の設計を支援するための住空間創造支援システムおよびプログラムに関する。
【背景技術】
【０００２】
たとえば、特許文献１には、直方体状の標準建物ユニットと、標準建物ユニットと形状の異なる異型建物ユニットとを含んで構成されるユニット式建物の平面図の作成作業において、標準建物を配置してユニット式建物の外形を決定した後、異型建物ユニットを配置すべき部分の標準建物ユニットを、異型建物ユニットに属性変更させるシステムが開示されている。このように、建物ユニットなどのデータを用意しておき、これを配置することで設計を容易にするようなＣＡＤシステムが提案されている。
【特許文献１】特開２０００−７６３１８号公報
【発明の開示】
【発明が解決しようとする課題】
【０００３】
しかしながら、上述したような従来のＣＡＤシステムは、俗に２．５次元といわれているように、基本的には平面図を作成し、その平面図に高さ方向（垂直方向）の諸々の条件を持たせ、そのデータを利用して積算をするものであり、建築物を３次元で視覚的に確認することはできない。また、上記ＣＡＤシステムは、設計者が使用することを前提とするため、その操作が容易ではないという問題点があった。
【０００４】
その一方、性能表示制度の運用が開始され、ＣＡＤシステムにおいても、性能表示の建築物を設計できることが望まれている。
【０００５】
本発明は、建築物、特に、住宅を建築しようとするユーザが、簡単な操作で、所望の構成の建築物を３次元で視覚的に確認することができ、かつ、ユーザ操作により得られた建築物の構造から性能表示を得ることができる住空間創造支援システムおよびプログラムを提供することを目的とする。
【課題を解決するための手段】
【０００６】
本発明の目的は、建築物の住空間の単位ごとに、その構造材の３次元の情報を含む構造モジュールと、仕上げおよび仕上げで囲われる領域に配置される建具の、３次元の情報を含む意匠モジュールとを含む基本モジュールを格納したモジュールＤＢと、与えられた第１の指示にしたがって、前記モジュールＤＢに記憶された基本モジュールを取り出すモジュール選択手段と、前記取り出された基本モジュールを３次元に配置し、配置された基本モジュール、および、当該基本モジュールの配置位置を含む情報を生成して、配置された基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶するモジュール配置／編集手段を備えたことを特徴とする住空間創造支援システムにより達成される。
【０００７】
好ましい実施態様においては、前記モジュール配置／編集手段が、前記表示装置の画面上に表示された基本モジュールから選択されたものの配置位置を変更することを示す第２の指示にしたがって、前記基本モジュールの配置位置を変更し、変更された後の基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶する。
【０００８】
別の好ましい実施態様においては、前記モジュール配置／編集手段が、前記隣接する基本モジュールの接合部に関して、当該隣接する基本モジュールにそれぞれ含まれる意匠モジュールを参照して、外壁および内壁を判断し、かつ、干渉する建具を調整する。
【０００９】
また、好ましい実施態様においては、前記第１の指示が、住宅性能表示の項目に関する値を含み、さらに、前記記憶装置に記憶された前記配置された基本モジュール、および、基本モジュールの配置位置を含む情報に基づき、安全性を検証し、前記第１の指示に含まれる住宅性能表示の項目の値にしたがった安全性が確保されているか否かを判断する安全性検証手段を備えている。
【００１０】
さらに、別の好ましい実施態様においては、前記モジュール配置／編集手段が、配置された基本モジュールのうち、構造モジュールの情報、或いは、意匠モジュールの情報の何れかに基づく、３次元的に視覚化された画像を生成する。
【００１１】
また、本発明の目的は、建築物の住空間の単位ごとに、その構造材の３次元の情報を含む構造モジュールと、仕上げおよび仕上げで囲われる領域に配置される建具の、３次元の情報を含む意匠モジュールとを含む基本モジュールを格納したモジュールＤＢに接続されたコンピュータにより読み出し可能なプログラムであって、与えられた第１の指示にしたがって、前記モジュールＤＢに記憶された基本モジュールを取り出すモジュール選択手段、および、前記取り出された基本モジュールを３次元に配置し、配置された基本モジュール、および、当該基本モジュールの配置位置を含む情報を生成して、配置された基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶するモジュール配置／編集手段として、前記コンピュータを機能させることを特徴とする住空間創造支援プログラムにより達成される。
【００１２】
好ましい実施態様においては、前記コンピュータを前記モジュール配置／編集手段として機能させるときに、前記表示装置の画面上に表示された基本モジュールから選択されたものの配置位置を変更することを示す第２の指示にしたがって、前記基本モジュールの配置位置を変更し、変更された後の基本モジュールの３次元的に視覚化された画像を表示装置の画面上に表示し、その際に、前記隣接する基本モジュールの接合部に関して、当該隣接する基本モジュールにそれぞれ含まれる構造モジュールを参照して、干渉する建築材を調整し、前記生成された情報を、記憶装置に記憶するように、前記コンピュータを動作させる。
【００１３】
別の好ましい実施態様においては、前記コンピュータを前記モジュール配置／編集手段として機能させるときに、前記隣接する基本モジュールの接合部に関して、当該隣接する基本モジュールにそれぞれ含まれる意匠モジュールを参照して、外壁および内壁を判断し、かつ、干渉する建具を調整するように、前記コンピュータを動作させる。
【００１４】
また、好ましい実施態様においては、前記第１の指示が、住宅性能表示の項目に関する値を含み、さらに、前記記憶装置に記憶された前記配置された基本モジュール、および、基本モジュールの配置位置を含む情報に基づき、安全性を検証し、前記第１の指示に含まれる住宅性能表示の項目の値にしたがった安全性が確保されているか否かを判断する安全性検証手段として、前記コンピュータを機能させる。
【００１５】
さらに、別の好ましい実施態様においては、前記コンピュータを前記モジュール配置／編集手段として機能させるときに、配置された基本モジュールのうち、構造モジュールの情報、或いは、意匠モジュールの情報の何れかに基づく、３次元的に視覚化された画像を生成するように、前記コンピュータを動作させる。
【発明の効果】
【００１６】
本発明によれば、建築物、特に、住宅を建築しようとするユーザが、簡単な操作で、所望の構成の建築物を３次元で視覚的に確認することができ、かつ、ユーザ操作により得られた建築物の構造から性能表示を得ることができる住空間創造支援システムおよびプログラムを提供することが可能となる。
【発明を実施するための最良の形態】
【００１７】
以下、添付図面を参照して、本発明の実施の形態について説明する。図１は、本発明の実施の形態にかかる住空間創造支援システムの構成を示すブロックダイヤグラムである。図１に示すように、住空間創造支援システム１０は、キーボードやマウスなどの入力装置１２と、表示装置１４と、後述する基本モジュール１００を記憶した基本モジュールＤＢ１６と、完成した設計書等を記憶する設計書ＤＢ１８と、入力装置１２からのユーザの指示にしたがって、後述する基本モジュールをモジュールＤＢ１６から選択するモジュール選択部２０と、ユーザの指示にしたがって、基本モジュールを配置していくモジュール配置／編集部２２と、ユーザが配置した基本モジュールの組み合わせに基づく建築物の安定性を検証する安定性検証部２４と、基本モジュールの組み合わせに基づく性能要件書を作成して、設計書ＤＢ１８に記憶する性能用件書作成部２６とを備えている。
【００１８】
住空間創造支援システム１０は、コンピュータに、所定のプログラムをインストールすることにより実現できる。破線１０１にて囲んだ、モジュール選択部２０、モジュール配置／編集部２２、安定性検証部２４および性能要件書作成部２６の機能は、上記プログラムをコンピュータにより実行させることにより実現される。
【００１９】
なお、本実施の形態においては、住空間創造支援システム１０に入力装置１２および表示装置１４が接続され、ユーザが、表示装置１４の画像を参照しつつ、入力装置１２を操作して指示を入力することができる。しかしながら、これに限定されるものではなく、たとえば、インターネットなどのデータ通信網を介して、住空間創造支援システム１０と端末装置とが接続され、ユーザは、端末装置の表示装置の画像を参照しつつ、端末装置の入力装置を操作して、指示を入力し、住空間創造支援システム１０が当該入力にしたがって処理を実行するように構成しても良い。
【００２０】
本実施の形態にかかる基本モジュールについて説明する。基本モジュールは、部屋或いは複数の部屋の集合体など、住空間の単位について、これを３次元で視覚的に表示できるような情報を含む。
【００２１】
本実施の形態では、基本モジュールは、壁芯から壁芯、横架材天端から横架材天端で囲われた範囲にある構造材の３次元の情報を含む構造モジュール、および、床、壁天井などの仕上げおよび仕上げで囲われる領域に配置される建具などの３次元の情報を含む意匠モジュールから構成される。
【００２２】
図２は基本モジュールを概略的に示す図である。図２に示すように、構造モジュール２００は、壁芯２０１、２０１と横架材２０２、２０２で囲われる空間に含まれる構造材の情報を含む。構造材は、たとえば、図３に示すように、横架材、火打梁、耐力壁、管柱などを含む。構造モジュールは、上記構造材の材質、サイズ、強度、位置などの情報を含む。
【００２３】
本実施の形態では、構造モジュールは以下の条件を満たす。
（１）上部水平稜線部には、ユーザの入力にかかる「条件設定」で指定された構造の安定項目水平構面の強さに該当する構成の横架材を配置する。１階に配置される基本モジュールについては、下線稜線部には、土台が含まれる。
（２）垂直稜線部には管柱を配置する。
（３）上部隅角部には火打梁を配置する。１階に配置される基本モジュールについては、下部隅角部に火打土台が配置される。
（４）後述する意匠モジュールの情報に基づき、外部建具および内部建具の両脇に管柱を配置する。
（５）柱間２間以内に管柱を配置する。
（６）開口部以外の柱間に壁倍率２倍の耐力壁を設定する。
【００２４】
このような条件に基づく構造材の情報により構造モジュールは構成される。本実施の形態においては、このような情報に基づき、システムが、図３に示すような３次元の画像を生成することができる。
【００２５】
次に、意匠モジュールについて説明する。意匠モジュールは、天井仕上げ２１１、壁仕上げ２１２、床仕上げ２１３などの情報を備える。より詳細には、意匠モジュールは、以下の情報を含む。
（１）部屋名称
（２）部屋要素（特定寝室、居室、非居室）
（３）各要素のサイズ
床高
天井高
壁厚
腰高
（４）内法寸法、内法面積
（５）各要素の仕上げ、下地の情報
（６）建具（たとえばサッシなど）の情報
（７）手摺などの情報
（８）火災感知警報装置などの有無およびその情報
【００２６】
図４（ａ）および（ｂ）は、意匠モジュールの３次元に視覚化された画像例を示す図である。本実施の形態においては、上述した意匠モジュールを構成する情報に基づいて、システムが画像を生成することができる。図４（ａ）は、サッシ４０１が配置された意匠モジュールを含む基本モジュールの例を示す。また、図４（ｂ）は、結合意匠モジュールの例を示す。結合意匠モジュールは、基本モジュールの一種であり、たとえば、風呂と洗面所というように、基本的に複数の部屋が組みあわされるときに、これらを予め組み合わせて一つのモジュールとしたものをいう。
【００２７】
また、本実施の形態においては、バルコニーなどは、特定モジュールとして表わす。特定モジュールも基本モジュールの一種である。図５（ａ）において、符号５０１がバルコニーを表わす特定モジュールに相当する。上述した基本モジュールは、基本的には矩形であるが、母屋下がりの部屋など立面的に矩形でないものや、平面的に長方形でないものを、特定モジュールとして用意しておくことができる（図５（ｂ）参照）。
【００２８】
次に、本実施の形態にかかる住空間創造支援システム１０の処理について、図６を参照して説明する。まず、システム１０は、表示装置１４に初期設定／条件設定画面を表示し、ユーザに必要項目の入力を求める。図７（ａ）は、初期設定／条件設定画面の例を示す図である。ここでは、入力項目として、「希望等級」、「床の固さ」、「屋根の重さ」、「建築地の住所」、「建ぺい率」、「容積率」、「建物の工法」および「外壁の仕上げ」などが含まれる。
【００２９】
「床の固さ」は、性能表示制度「構造の安定・耐震等級」の最高等級をクリアするための骨組みを生成するための設定項目であり、「根太」を使用するか、「厚合板」を使用するかなどを設定する。「屋根の重さ」は、瓦葺き、彩色石綿スレート葺きなどを設定する。「希望等級」は、性能表示制度の他の項目の「性能」を特定するために設定される。性能表示制度の他の項目として、たとえば、「火災時の安全に関する」項目、「劣化の軽減に関する」項目などが含まれる。
【００３０】
また、「建築地の住所」、「建ぺい率」、「容積率」のほか、用途地域指定など、建築基準法や各地条例に関する項目を設け、これに対する入力を求めても良い。
【００３１】
「建物の工法」は、木造軸組工法戸建て、枠組み壁工法戸建て、集合住宅などから所望のものを選択する。また、「外壁の仕上げ」は、モルタル吹き付け、タイル、サイディングなどから所望のものを選択する。このようにしてユーザにより入力された初期設定／条件設定の入力項目の値を受理すると、モジュール選択部２０は、これをユーザの初期設定／条件設定情報として、設計書ＤＢ１８に記憶する（ステップ６０１）。また、システム１０は、それぞれのモジュールのリストを作成する。図７（ｂ）は、モジュールリスト作成のための入力画面の例を示す図である。図７（ｂ）に示すように、モジュールごとの入力項目には、「階」、「部屋名」、「基準サイズ」、「天井の高さ」、「窓・出入り口の大きさ」、「床の仕上げ」、「壁の仕上げ」、「天井の仕上げ」、「家具の配置」、「照明器具」などが含まれる。
【００３２】
「基準サイズ」は、６帖、８帖など部屋の大きさに相当する。無論、面積により大きさを入力しても良い。「天井の高さ」や「窓・出入り口の大きさ」については、長さや面積を入力すればよい。また、窓を複数設けたい場合には、その旨も入力すればよい。「床の仕上げ」については、畳敷き、フローリング、カーペット敷きなどを選択するとともに、床の色や模様を指定することができる。「壁の仕上げ」や「天井の仕上げ」についても、塗り、クロス張りなどを選択でき、また、色や模様を指定することもできる。また、「壁の仕上げ」については、カーテンの色が指定できるようにしても良い。
【００３３】
「家具の配置」においては、「机」、「椅子」、「ソファー」、「ベッド」、「テレビ」、「エアコン」などを配置する位置を入力しておく。また、「照明器具」については、照明器具の設置位置などを入力しておく。
【００３４】
モジュール選択部２０は、モジュールごとにユーザが設定した情報を、それぞれ、設計書ＤＢ１８に記憶しておく（ステップ６０２）。
【００３５】
各モジュールについてユーザが情報を設定すると、モジュール選択部２０は、設計書ＤＢ１８に記憶されたユーザの初期設定／条件設定と、モジュールリストの設定情報とを参照して、設定に合致するような、モジュールＤＢ１６に記憶された基本モジュールを選択する（ステップ６０２）。初期設定／条件設定により構造モジュールが特定され、モジュールリストの設定情報により意匠モジュールが特定される。そこで、モジュール選択部２０は、特定された構造モジュールおよび意匠モジュールから構成される基本モジュールを、ユーザの所望の部屋を表わす意匠モジュールであると判断する。この処理を繰り返すことで、ユーザが設定した全てのモジュールリストに対応する基本モジュールを特定することができる。
【００３６】
なお、設定に合致する構造モジュール或いは意匠モジュールが存在しない場合には、設定に最も近似したものを選択しても良い。或いは、モジュール選択部２０に、基本モジュールを構成する構造モジュールおよび意匠モジュールの生成機能を付加し、設定に近似した構造モジュールや意匠モジュールの情報を修正して、ユーザの設定に合致した基本モジュールを得られるように構成しても良い。この場合、新たに生成された基本モジュールの情報は、モジュールＤＢ１５に記憶しておくのが望ましい。
【００３７】
次いで、モジュール配置／編集部２２は、モジュール選択部２０により選択された基本モジュールの情報を、モジュールＤＢ１６から読み出し、当該基本モジュールに関連したモジュールリストの情報（たとえば、項目「階」）にしたがって、モジュールを配置した画像を生成し、表示装置の画面上に表示する（ステップ６０４）。図８に示すように、表示画像においては、立方体或いは直方体の基本モジュールが積木のように並べられ、また、積み重ねられた状態となる。利用された基本モジュールを特定する情報、および、基本モジュールの配置位置は、設計書ＤＢ１８に記憶される。
【００３８】
基本モジュールを並べ或いは積み重ねる際に、モジュール配置／編集部２２は、図９に示すような処理を実行する。たとえば、モジュール配置／編集部２２は、複数の基本モジュール（壁同士、或いは、天井と床）が接合されている箇所（接合部）を見出して、当該接合部に関連する構造モジュールを参照して、干渉する建築材を調整する（ステップ９０１）。たとえば、水平方向に基本モジュールが隣接される場合に、その接合部において、一方の基本モジュールの管柱を撤去する。垂直方向においても同様の処理が実行される。
【００３９】
また、モジュール配置／編集部２２は、基本モジュールが外部に露出された部分については外壁と判断し、その一方、他の基本モジュールと接合されている部分は内壁と判断する（ステップ９０２）。外壁であれば、初期設定／条件設定で設定された「外壁仕上げ」の情報が、その基本モジュールに関する情報として、設計書ＤＢ１８に記憶される。
【００４０】
次いで、モジュール配置／編集部２２は、基本モジュールの接合部に関して、意匠モジュールを参照し、建具の共有や壁の共有を判断して、共有している（つまり、接しているにもかかわらず双方が有している）建具や壁の一方を撤去する（ステップ９０３）。実際には、設計書ＤＢ１８に記憶された基本モジュールの情報から、所定の情報を削除することにより実現される。また、モジュール配置／編集部２２は、耐力壁の計算、偏心計算（配置バランス計算）、床倍率計算などを実行する（ステップ９０４〜９０６）。
【００４１】
ユーザは入力装置１２を操作して、画面上に表示された基本モジュールのうち所望のものを選択し、その位置を移動することができる。たとえば、１階にあった、寝室と考えていた基本モジュールを、１階の他の基本モジュールの上に載せることで２階に移動することが可能である。このように、ユーザの指示により基本モジュールの配置が変更されると、基本モジュール間の接合も変更されるため、図９の処理が実行され、隣接する基本モジュールの整合性を図る。
【００４２】
このようにしてユーザにより所望のように基本モジュールの配置が編集された後、モジュール配置／編集部２２は、初期設定／条件設定にて設定され、設計書ＤＢ１８に記憶された建ぺい率、容積率、用途地域指定などに基づいて、基本モジュールを配置したことにより得られる建築物と、建築可能空間との干渉を調べ、勾配、母屋下がり、屋根形状、建築物の配置位置を変更する。たとえば、図１０（ａ）に示すように、ユーザの基本モジュールの配置により、断面形状が符号１０００に示すような建築物が得られていると考える。ここで、建築可能空間（鎖線１００１参照）を重ね合わせると、屋根１００２の先端が、建築可能空間外に突出する。モジュール配置／編集部２２は、このような状態を検知すると、たとえば、以下のような処理を実行する。
（１）屋根勾配を固定し、棟位置を移動させる。
（２）棟位置は変更せず、腰折れ屋根に変更する。
（３）異勾配屋根等に変更する。
（４）その他
【００４３】
図１０（ａ）の例では、その他の処理として、棟位置および屋根勾配を変更せず、屋根位置を後退させて（破線１００３参照）、基本モジュール自体の断面形状が変更されている（図１０（ｂ）参照）。基本モジュール自体の形状が変更される場合、モジュール配置／編集部２２は、モジュールＤＢ１６を検索して、変更にかかる形状を有する基本モジュール（変形モジュール）の情報を取り出して、その情報を、変更にかかる基本モジュールの情報として置き換える。なお、上記（１）〜（４）の処理を実行する必要が生じたときに、モジュール配置／編集部２２は、表示装置１４の画面上に、（１）〜（４）の選択肢を表示し、ユーザに選択をさせるように構成しても良い。
【００４４】
基本モジュールが変更された場合にも、基本モジュールを特定する情報、および、基本モジュールの配置位置は、設計書ＤＢ１８に記憶される。
【００４５】
前述したように、本実施の形態において、基本モジュールは、構造モジュールと意匠モジュールとから構成される。したがって、ユーザの指示により、表示装置１４の画面上に、意匠モジュールのみで構成される画像を表示し（図１１参照）、或いは、構造モジュールのみで構成される画像を表示することも可能である（図１２参照）。
【００４６】
次いで、安定性検証部２４が、設計書ＤＢ１８に記憶された基本モジュールを特定する情報、基準モジュールに関連する構造モジュールの情報、および、モジュールの配置位置に基づいて、これら情報により特定される建築物の安全性を検証する（ステップ２４）。本実施の形態においては、以下のような検証（チェック）が実行される。
（１）建築基準法や性能表示制度に基づく壁量のチェック
（２）壁の配置のチェック
（３）床倍率のチェック
（４）接合部のチェック
（５）基礎のチェック  
（６）横架材のチェック
【００４７】
このような検証の後、ユーザが設定した性能（床の固さ、屋根の重さ、希望等級など）の条件をクリアしている場合には（ステップ６０６でイエス(Yes)）性能要件書作成部２６が、性能要件書を作成する（ステップ６０７）。性能要件書は、設計書ＤＢ１８に記憶される。図１３〜図１６は、性能要件書の例を示す図である。図１３は、初期設定／条件設定（図６のステップ６０１参照）で入力された情報を転記した部分、図１４において、「設定等級」は、初期設定／条件設定における「希望等級」に対応する。また、「要求事項」は、「設定等級」に応じて要求されるものである。また、図１５、１６は、それぞれ、基本モジュールの構造モジュールに基づいて作成された耐力壁配置図および水平構面図である。
【００４８】
ステップ６０６でノー(No)と判断された場合には、ステップ６０４に戻り、基本モジュールの配置等を変更する。或いは、ステップ６０１に戻り、初期設定／条件設定の入力から再度繰り返しても良い。なお、ステップ６０６でノー(No)と判断された場合に、エラーとなった内容およびその回避方法を、ユーザに通知するように構成するのが望ましい。
【００４９】
このようにして得られた性能要件書、および、基本モジュールおよびその配置位置の情報は、設計士による建築物の詳細設計に利用することができる。
【００５０】
本実施の形態によれば、構造モジュールおよび意匠モジュールからなる基本モジュールを並べ、また、積み重ねることにより、建築物を三次元的に視覚的にユーザに提示することができる。また、ユーザは、当該三次元的に表示された基本モジュールを移動させることで、建築物の形状などを所望のように変更し、変更後の建築物の姿を確認することができる。
【００５１】
また、本実施の形態によれば、ユーザに対して、基本モジュール中の構造モジュールのみを表示することで、建築物の構造材のみをユーザに提示し、或いは、意匠モジュールのみを表示することで、ユーザが実際に目にすることができる建築物を、ユーザに提示することが可能となる。
【００５２】
さらに、本実施の形態によれば、基本モジュールの接合部、外部との露出面について、建築物として実際に建築されたときに整合するように、干渉する建築材を調整し、或いは、外壁／内壁を判断し、必要に応じて建築材を撤去するような処理を実行している。これにより、構造の安定性を正確に検証することが可能となる。
【００５３】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５４】
【図１】図１は、本発明の実施の形態にかかる住空間創造支援システムの構成を示すブロックダイヤグラムである。
【図２】図２は、本実施の形態にかかる基本モジュールを概略的に示す図である。
【図３】図３は、本実施の形態において、３次元に視覚化された構造モジュールの例を示す図である。
【図４】図４（ａ）は、意匠モジュールの３次元的に視覚化された画像例、図４（ｂ）は、結合モジュールの３次元的に視覚化された画像例を示す図である。
【図５】図５（ａ）、（ｂ）は、特定モジュールの３次元的に視覚化された画像例を示す図である。
【図６】図６は、本実施の形態にかかる住空間創造支援システムにて実行される処理を示すフローチャートである。
【図７】図７（ａ）、（ｂ）は、表示装置の画面上に表示される画像例である。
【図８】図８は、本実施の形態にかかる複数の基本モジュールの３次元的に視覚化された画像例を示す図である。
【図９】図９は、本実施の形態にかかるモジュール配置／編集部にて実行される処理を示す図である。
【図１０】図１０（ａ）、（ｂ）は、建築可能空間との干渉およびそれに対応する処理を説明するための図である。
【図１１】図１１は、本実施の形態において、処理により得られた建築物中、意匠モジュールのみを視覚化した画像を示す図である。
【図１２】図１２は、本実施の形態において、処理により得られた建築物中、構造モジュールのみを視覚化した画像を示す図である。
【図１３】図１３は、本実施の形態において得られる性能要件書の部分を例示する図である。
【図１４】図１４は、本実施の形態において得られる性能要件書の部分を例示する図である。
【図１５】図１５は、本実施の形態において得られる性能要件書の部分を例示する図である。
【図１６】図１６は、本実施の形態において得られる性能要件書の部分を例示する図である。
【符号の説明】
【００５５】
１０      住空間創造支援システム
１６      モジュールＤＢ
１８      設計書ＤＢ
２０      モジュール選択部
２２      モジュール配置／編集部
２４      安定性検証部
２６      性能要件書作成部
【図１】
2005275506.tif 000003
【図２】
2005275506.tif 000004
【図３】
2005275506.tif 000005
【図４】
2005275506.tif 000006
【図５】
2005275506.tif 000007
【図６】
2005275506.tif 000008
【図７】
2005275506.tif 000009
【図８】
2005275506.tif 000010
【図９】
2005275506.tif 000011
【図１０】
2005275506.tif 000012
【図１１】
2005275506.tif 000013
【図１２】
2005275506.tif 000014
【図１３】
2005275506.tif 000015
【図１４】
2005275506.tif 000016
【図１５】
2005275506.tif 000017
【図１６】
2005275506.tif 000018